(57)【要約】【課題】従来の無線端末は、運用終了後に都度制御装置と有線で接続し、情報を収集することは煩雑であり、複数台の場合には膨大な時間を要する。【解決手段】本発明の無線通信システムは、充電器によって充電される無線端末を有する無線通信システムであって、充電器は無線端末とネットワークを接続するための通信部を有し、無線端末は通信部とネットワークを介して制御装置から送信されるコマンドを受信して当該コマンドに応じた処理を行うことを特徴とする。【選択図】  図１
2016054440.tif 000002
【特許請求の範囲】
【請求項１】
充電器によって充電される無線端末を有する無線通信システムにおいて、
前記充電器は、前記無線端末とネットワークを接続するための通信部を有し、
前記無線端末は、前記通信部と前記ネットワークを介して制御装置から送信されるコマンドを受信して当該コマンドに応じた処理を行うことを特徴とする無線通信システム。
【請求項２】
請求項１に記載の無線通信システムにおいて、
前記通信部は、前記無線端末が接続されると当該無線端末の識別情報を取得し、前記制御装置に送信するとともに、
前記制御装置は、前記無線端末の識別情報と当該無線端末に対するコマンドの情報との対応情報を予め保持しており、前記通信部から前記識別情報を受信すると、前記対応情報に基づいて、前記コマンドを送信することを特徴とする無線通信システム。
【発明の詳細な説明】
【技術分野】
【０００１】
本発明は、無線通信システムに関するものである。
【背景技術】
【０００２】
近年、トランシーバ型の単信通信による無線通話端末は簡易無線や業務用無線などに代表される。これらの無線端末は音声通話を主体としているため、内部構成が比較的簡易なため安価であり、国内でも広く流通・利用されている。
上記の無線端末は、スタンドアロンで動作する簡便さの一方、基本的に携帯電話のように基地局介して通信を行うものではないことや、単信通信であることなどから、位置登録など複数の端末の情報を一元管理したいような場合においてのデータの授受には向かない。
【０００３】
従来技術である無線通信システムの一例を図４に示す。
図４は従来の無線通信システムの構成を示す図である。
従来の無線端末４１０は、主に無線部１１１、制御部４１２、センサ部１１３、電池１１４、電源部１１５で構成されていて、電池１１４には充電器４２０から給電される。
無線端末４１０の情報収集や運用プログラムの更新等は制御装置４４０から専用治具４３０を介して行われる。
【０００４】
また、先行技術としては、充電器が無線機に対応したものであることを示す情報または構造を有する技術について開示されている（例えば、特許文献１参照。）。
【先行技術文献】
【特許文献】
【０００５】
【特許文献１】特開２０１２−１５１７２０号公報
【発明の概要】
【発明が解決しようとする課題】
【０００６】
前述の従来技術の無線端末は、運用終了後に都度制御装置と有線で接続し、情報を収集することは煩雑であり、複数台の場合には膨大な時間を要する。
また、無線端末の運用プログラムを更新する際には、それぞれの無線端末に有線で接続し、ダウンロードを行う必要があり、膨大な時間を要する。
本発明は上述した課題に鑑み、無線端末に対する情報の読み出し又は書き込みを容易に効率良く実施できるようにすることを目的とする。
【課題を解決するための手段】
【０００７】
本発明の無線通信システムは、充電器によって充電される無線端末を有する無線通信システムであって、充電器は無線端末とネットワークを接続するための通信部を有し、無線端末は通信部とネットワークを介して制御装置から送信されるコマンドを受信して当該コマンドに応じた処理を行うことを特徴とする。
また、前記通信部は、前記無線端末が接続されると当該無線端末の識別情報を取得し、前記制御装置に送信するとともに、前記制御装置は、前記無線端末の識別情報と当該無線端末に対するコマンドの情報との対応情報を予め保持しており、前記通信部から前記識別情報を受信すると、前記対応情報に基づいて、前記コマンドを送信することが好ましい。
【０００８】
また、本発明の無線通信システムは、上述の無線通信システムであって、無線端末は制御装置から更新プログラムをダウンロードできることが好ましい。
【０００９】
また、本発明の無線通信システムは、上述の無線通信システムであって、制御装置は複数の無線端末を制御できることが好ましい。
【００１０】
さらに、本発明の無線通信システムは、上述の無線通信システムであって、制御装置は無線端末から送信されてきたデータを記録装置に記憶できることが好ましい。
【発明の効果】
【００１１】
本発明によれば、無線端末に対する情報の読み出し又は書き込みを容易に効率良く実施することができる。
【図面の簡単な説明】
【００１２】
【図１】本発明の一実施例に係る無線通信システムの構成を示す図である。
【図２】本発明の一実施例に係る無線通信システムの動作を説明するためのシーケンス図である。
【図３】本発明の一実施例に係る無線通信システムにおいて、無線端末が複数存在する場合の構成を示す図である。
【図４】従来の無線通信システムの構成を示す図である。
【発明を実施するための形態】
【００１３】
以下、本発明の一実施例に係る無線通信システムについて図面を参照して説明する。
図１は本発明の一実施例に係る無線通信システムの構成を示す図である。
図１において、無線機等の無線端末１１０は、充電器１２０の電源部１２２より電池１１４に対して給電を受け、充電をする。
無線端末１１０は、電池１１４から電源部１１５に対する給電し、電源部１１５で変圧された電源により制御部１１２、センサ部１１３、無線部１１１、メモリ部１１６を動作させる。
制御部１１２は、センサ部１１３により電源電圧や無線部１１１の障害（シンセサイザのアンロックなど）、落下による加速情報、温度等さまざまな情報を取得し、メモリ部１１６に記憶させる。
なお、メモリ部１１６は制御部１１２に内蔵されていてもよい。
【００１４】
本発明の一実施例における充電器１２０は、電源部１２２に加えて、通信部１２１を有する。この通信部１２１は社内ＬＡＮ（Local  Area  Network）などのネットワーク１３０と無線端末１１０の制御部１１２との間を接続するインタフェースであり、ネットワーク１３０を介して制御装置１４１とデータの授受を行う。
記録装置１４２は、無線端末１１０の各種情報を記憶する。
なお、制御装置１４１は、ＰＣ（Personal  Computer）であってもよい。
また、記録装置１４２は、制御装置１４１に内蔵、あるいはネットワーク１３０に接続されていてもよい。
【００１５】
次に、本発明の一実施例である無線通信システムの動作について、図１、図２を用いて説明する。
図２は本発明の一実施例に係る無線通信システムの動作を説明するためのシーケンス図である。
（無線端末の情報取得）
制御装置１４１を操作する管理者１は、無線端末１１０の動作情報や故障情報等を取得したい場合、制御装置１４１で情報取得の操作を行う（２０１）。
制御装置１４１は、ネットワーク１３０を介して充電器１２０の通信部１２１に対して、無線端末１１０から情報を送出させるためのコマンドを送信する（２０２）。
充電器１２０の通信部１２１は、受信したコマンドを無線端末１１０の制御部１１２に対して送信する（２０３）。
【００１６】
無線端末１１０の制御部１１２は、充電器１２０に設置され通信部１２１と通信可能となりコマンドを受信するとそのコマンドを判断する。ここでは制御部１１２は受信したコマンドが動作情報・故障情報等を送出するコマンドと認識する（２０４）と、メモリ部１１６に対して記憶してある動作情報・故障情報等データの出力指示を出す（２０５）。
メモリ部１１６は記憶してある動作情報・故障情報データ等を読出し、制御部１１２に出力する（２０６）。
無線端末１１０の制御部１１２は、動作情報・故障情報等データを充電器１２０の通信部１２１に対して送出する（２０７）。この際、上記コマンドの応答である情報も付加して送出することが好ましい。
【００１７】
充電器１２０の通信部１２１は、無線端末１１０からの動作情報・故障情報等データを受信すると、ネットワーク１３０を介して制御装置１４１に送出する（２０８）。
制御装置１４１は、記録装置１４２に動作情報・故障情報等データの記憶指示を出す（２０９）。
記録装置１４２は、動作情報・故障情報等データを記憶する（２１０）。
このように、本実施例の無線通信システムによれば、充電器１２０にセットし、無線端末１１０が制御装置１４１からのコマンドを充電器１２０を介して受信することで、制御装置１４１は遠隔から無線端末１１０の動作情報・故障情報等データを収集することができる。
従来は、運用終了後に都度複数の無線端末に有線で接続し、情報を収集する必要があり非常に煩雑で膨大な時間を要していた。これに対して本実施例の無線通信システムによれば、不具合解析などにおける故障診断は有線により遠隔で都度確認することができ、容易に短時間で実施できる。
【００１８】
（無線端末の動作条件、周波数等設定）
上記と同様に制御装置１４１を操作する管理者１は、無線端末１１０の動作条件や周波数などの動作情報を設定したい場合、制御装置１４１で動作情報を設定する操作を行う（２２１）。
制御装置１４１は、ネットワーク１３０を介して充電器１２０の通信部１２１に対して、無線端末１１０の動作情報を設定するコマンドとデータを送信する（２２２）。
充電器１２０の通信部１２１は、受信した動作情報の設定コマンドとデータを無線端末１１０の制御部１１２に対して送信する（２２３）。
【００１９】
無線端末１１０の制御部１１２は、受信したコマンドとデータが動作条件や周波数などを設定するコマンドとデータであると認識する（２２４）と、メモリ部１１６に動作情報データの記憶指示を出す（２２５）。
メモリ部１１６は、動作条件や周波数などの動作情報データを更新記憶し（２２６）、制御部１１２に更新記憶完了を送信する（２２７）。
制御部１１２は、充電器１２０の通信部１２１に動作情報の設定が完了した旨の設定完了情報を送信する（２２８）。
【００２０】
充電器１２０の通信部１２１は、無線端末１１０からの設定完了情報を、ネットワーク１３０を介して制御装置１４１に送信する（２２９）。
制御装置１４１は、記録装置１４２に動作情報設定完了の記憶指示を出す（２３０）。
記録装置１４２は、動作情報設定完了を記憶する（２３１）。
このように、本実施例の無線通信システムによれば、無線端末１１０の動作情報（設定）を充電中に容易に且つ短時間で更新することができる。
【００２１】
（無線端末の運用プログラム更新）
制御装置１４１を操作する管理者１は、無線端末１１０の運用プログラムを更新する場合、制御装置１４１で運用プログラムを更新するための操作を行う（２４１）。
制御装置１４１は、ネットワーク１３０を介して充電器１２０の通信部１２１に対して無線端末１１０の運用プログラムの更新を行うためのコマンドを送信する（２４２）。
充電器１２０の通信部１２１は、受信した更新コマンドを無線端末１１０の制御部１１２に対して送信する（２４３）。
【００２２】
無線端末１１０の制御部１１２は、受信した更新コマンドが運用プログラムを更新するコマンドであると認識する（２４４）と、運用プログラムを更新するための動作へ移行（２４５）し、更新動作移行完了情報を充電器１２０の通信部１２１に対して送信する（２４６）。
【００２３】
充電器１２０の通信部１２１は、無線端末１１０からの更新動作移行完了情報を、ネットワーク１３０を介して制御装置１４１に送信する（２４７）。
制御装置１４１は運用プログラムデータを、ネットワーク１３０を介して充電器１２０の通信部１２１に送出する（２４８）。
なお、運用プログラムは通常データサイズが大きいので、適宜パケットに分割して送出してもよい。
充電器１２０の通信部１２１は、無線端末１１０の制御部１１２に対して運用プログラムデータ（データパケット）を送出する（２４９）。
【００２４】
無線端末１１０の制御部１１２は、受信した運用プログラムに対してサムチェックなどの判定を行い（２５０）、問題有りの場合（ＮＯ）には充電器１２０の通信部１２１にＮＡＣＫ（Negative  ACKnowledgement）を送信する（２５１）。
充電器１２０の通信部１２１は、ネットワーク１３０を介して制御装置１４１にＮＡＣＫを送信する（２５２）。
制御装置１４１は、ＮＡＣＫを受信すると、運用プログラムデータを、ネットワーク１３０を介して充電器１２０の通信部１２１に再送出する（２５３）。
充電器１２０の通信部１２１は、無線端末１１０の制御部１１２に対して運用プログラムデータを再送出する（２５４）。
【００２５】
無線端末１１０の制御部１１２は、サムチェックなどの判定（２５０）で問題なしの場合（ＹＥＳ）には充電器１２０の通信部１２１にＡＣＫ（ACKnowledgement）を送信する（２５５）。
充電器１２０の通信部１２１は、ネットワーク１３０を介して制御装置１４１にＡＣＫを送信する（２５６）。
【００２６】
次に、無線端末１１０の制御部１１２は、メモリ部１１６に運用プログラムデータの更新記憶指示を出す（２５７）。
メモリ部１１６は、運用プログラムデータを更新記憶し（２５８）、更新記憶が正常に完了した場合、制御部１１２に更新記憶完了を送信する（２５９）。
制御部１１２は、充電器１２０の通信部１２１に運用プログラムの更新記憶完了を送信する（２６０）。
【００２７】
充電器１２０の通信部１２１は、無線端末１１０からの運用プログラム更新完了情報を、ネットワーク１３０を介して制御装置１４１に送信する（２６１）。
制御装置１４１は、記録装置１４２に運用プログラム更新完了の記憶指示を出す（２６２）。
記録装置１４２は、運用プログラム更新完了を記憶する（２６３）。
このように、本実施例の無線通信システムによれば、無線端末１１０の運用プログラムを充電中に容易に且つ短時間で更新することができる。
【００２８】
（無線端末が複数ある場合）
次に、無線端末が複数ある場合の一実施例について図３を用いて説明する。
図３は本発明の一実施例に係る無線通信システムにおいて、無線端末が複数存在する場合の構成を示す図である。
なお、本一実施例では無線端末が３台の場合である。
無線端末３１１，３１２，３１３は、無線端末１１０と同様の構成である。
充電器３２１，３２２，３２３は、充電器１２０と同様の構成である。
無線端末３１１は充電器３２１を介してネットワーク１３０に接続されている。無線端末３１２は充電器３２２を介してネットワーク１３０に接続されている。無線端末３１３は充電器３２３を介してネットワーク１３０に接続されている。
無線端末３１１，３１２，３１３は、各々個別番号（識別情報）を有している。
【００２９】
制御装置１４１を操作する管理者は、無線端末３１１，３１２，３１３の動作情報や故障情報の取得、動作情報の更新、プログラムの更新を行う際には無線端末を特定できる個別番号をコマンドに付加して制御装置１４１からネットワーク１３０を介して送出する。個々の動作については前述のとおりである。
無線端末３１１，３１２，３１３の情報は、充電器３２１，３２２，３２３によりネットワーク１３０を介して、制御装置１４１に送出される。
制御装置１４１は無線端末の個別番号と運用情報やプログラムの更新記録を記録装置１４２に記憶させる。
【００３０】
本発明の一実施例である無線通信システムは、無線端末の運用プログラムの更新や情報の一元管理を容易に行うことができる。
なお、上述した実施例（図２等）では、制御装置１４１が管理者１の操作に基づいて動作情報や故障情報の取得、動作情報の更新、プログラムの更新を行う場合を例にあげて説明した。しかし、本発明はこれに限定されるものではなく、制御装置１４１は充電器１２０に無線端末１１０がセットされると、上記各処理を自動的に実行するように構成してもよい。
この場合、無線端末１１０が充電器１２０に接続されると、制御部１１２あるいは通信部１２１からのトリガで無線端末１１０と充電器１２０との間で通信接続され、充電器１２０に接続された無線端末１１０の識別情報（端末ＩＤ等）を制御部１１２が通信部１２１に送信する。そして、通信部１２１は、どの無線端末１１０が新たに接続されたかを示す識別情報を制御装置１４１に送信する。制御装置１４１は、動作情報や故障情報の取得、動作情報の更新、プログラムの更新を行う対象の無線端末１１０の情報（すべての無線端末１１０でもよいし一部の無線端末１１０でもよい）をそれぞれの処理（コマンドの情報）に対応させて予め保持しておく。そして、無線端末１１０が新たに充電器１２０に接続されて上記識別情報を受信すると、制御装置１４１は、上記識別情報が各処理の対象であるか否かを予め保持している情報に基づいて判断し、該当する処理を実行するためのコマンド等を上記図２に示したのと同様に自動的に送信する。
このように、充電器１２０の通信部１２１は、無線端末１１０が接続されると当該無線端末１１０の識別情報を取得し、制御装置１４１に送信するとともに、制御装置１４１は、前記無線端末１１０の識別情報と当該無線端末１１０に対するコマンドの情報との対応情報を予め保持しており、通信部１２１から識別情報を受信すると、対応情報に基づいて、コマンドを無線端末１１０に向けて送信する。
これにより、管理者１の操作なしに自動的に各処理を実施できるので手間を省き、より効率的に各処理を実施することができる。例えば、動作情報や故障情報の取得については、従来は無線機１１０の不具合はその事象が現れるまで分からず、あるいは動作しなくなるまで分からないことが多々あったが、制御装置１４１は無線端末１１０が充電器１２０に接続される度に管理者１の操作なしに自動的に動作情報・故障情報等データを収集するので、不具合が現れる前に無線端末１１０の異常等の情報を収集することができる。
【００３１】
以上本発明について詳細に説明したが、本発明は、ここに記載された無線通信システムに限定されるものではなく、上記以外の無線通信システムに広く適用することができることは言うまでもない。また、本発明は、例えば、本発明に係る処理を実行する方法或いは方式や、このような方法や方式を実現するためのプログラムや当該プログラムを記憶する記憶媒体などとして提供することも可能である。
【符号の説明】
【００３２】
１１０：無線端末、１１１：無線部、１１２：制御部、１１３：センサ部、１１４：電池、１１５：電源部、１１６：メモリ部、１２０：充電器、１２１：通信部、１２２：電源部、１３０：ネットワーク、１４１：制御装置、１４２：記録装置、２１０：無線端末、２１２：制御部、２２０：充電器、２３０：専用治具、２４０：制御装置、３１１：３１２，３１３：無線端末、３２１，３２２，３２３：充電器。
【図１】
2016054440.tif 000003
【図２】
2016054440.tif 000004
【図３】
2016054440.tif 000005
【図４】
2016054440.tif 000006